(57)【要約】【課題】解剖学的ランドマークの最も確からしい位置の特定精度の向上。【解決手段】一実施形態に係る医用画像処理装置１０は、解剖学的ランドマークを含む第１の医用画像の第１領域を用いて調整され、第２の医用画像を構成する複数の画素について、前記解剖学的ランドマークである確からしさを表す複数の第１分類器ＣC（第１処理ユニット）と、前記第１の医用画像の前記第１領域よりも狭い第２領域を用いて調整され、前記第２の医用画像を構成する複数の画素について、前記解剖学的ランドマークである確からしさを表す複数の第２の値を計算する第２分類器ＣB（第２処理ユニット）と、  前記複数の第１の値と前記複数の第２の値とに基づいて、前記第２の医用画像に含まれる前記解剖学的ランドマークとして最も確からしい位置を特定するランドマーク位置特定ユニット２８と、を具備することを特徴とする。【選択図】      図３
2015036123.tif 000002
【特許請求の範囲】
【請求項１】
解剖学的ランドマークを含む第１の医用画像の第１領域を用いて調整され、第２の医用画像を構成する複数の画素について、前記解剖学的ランドマークである確からしさを表す複数の第１の値を計算する第１処理ユニットと、
前記第１の医用画像の前記第１領域よりも狭い第２領域を用いて調整され、前記第２の医用画像を構成する複数の画素について、前記解剖学的ランドマークである確からしさを表す複数の第２の値を計算する第２処理ユニットと、
前記複数の第１の値と前記複数の第２の値とに基づいて、前記第２の医用画像に含まれる前記解剖学的ランドマークとして最も確からしい位置を特定するランドマーク位置特定ユニットと、
を具備することを特徴とする医用画像処理装置。
【請求項２】
前記第１領域は、前記第２領域を含むこと、
を特徴とする請求項１記載の医用画像処理装置。
【請求項３】
前記第１処理ユニットと第２処理ユニットとは、確率的分別器であること、
を特徴とする請求項１記載の医用画像処理装置。
【請求項４】
前記第１の値および第２の値は、確率値または尤度値に対応すること、
を特徴とする請求項１記載の医用画像処理装置。
【請求項５】
前記ランドマーク位置特定ユニットは、前記複数の第１の値と前記複数の第２の値との間の積を取ることによって、前記第２の医用画像に含まれる前記解剖学的ランドマークとして最も確からしい位置を特定すること、
を特徴とする請求項１記載の医用画像処理装置。
【請求項６】
前記ランドマーク位置特定ユニットは、
前記複数の第１の値と前記複数の第２の値との間の積の最大値に対応する画素を、前記解剖学的ランドマークとして最も確からしい位置として特定すること、
を特徴とする請求項５記載の医用画像処理装置。
【請求項７】
前記ランドマーク位置特定ユニットは、
前記複数の第１の値と前記複数の第２の値との間の積の最大値が閾値よりも大きい場合に、前記最大値に対応する画素を前記解剖学的ランドマークとして最も確からしい位置として特定すること、
を特徴とする請求項５記載の医用画像処理装置。
【請求項８】
医用画像を構成する複数の画素について、解剖学的ランドマークの位置である確からしさを表す複数の第１の値を計算する第１処理ユニットと、
前記複数の画素について、前記解剖学的ランドマークの位置である確からしさを表す複数の第２の値を計算する第２処理ユニットと、
前記解剖学的ランドマークを含む他の医用画像の第１領域を用いて前記第１処理ユニットをトレーニングし、前記第１領域よりも狭い第２領域を用いて前記第２処理ユニットをトレーニングするトレーニングユニットと、
を具備することを特徴とする医用画像処理装置。
【請求項９】
前記トレーニングユニットは、
前記第１領域を前記解剖学的ランドマークの位置を含む第１の前景領域と前記解剖学的ランドマークの位置を含まない第１背景領域とに区別し、
前記第２領域を前記解剖学的ランドマークの位置を含む第２前景領域と前記解剖学的ランドマークの位置を含まない第２背景領域とに区別し、
前記第１の前景領域内の複数の第１前景トレーニング点と前記第１背景領域内の複数の第１背景トレーニング点とを用いて前記第１処理ユニットをトレーニングし、
前記第２前景領域内の複数の第２前景トレーニング点と前記第２背景領域内の複数の第２背景トレーニング点とを用いて前記第２処理ユニットをトレーニングすること、
を特徴とする請求項８記載の医用画像処理装置。
【請求項１０】
前記第１の前景領域は、前記第２前景領域を含むこと、
を特徴とする請求項９記載の医用画像処理装置。
【請求項１１】
前記第１の前景領域は、前記第２領域と同一であること、
を特徴とする請求項９記載の医用画像処理装置。
【請求項１２】
前記トレーニングユニットは、
前記第１処理ユニットを、前記複数の第１前景トレーニング点に対応する複数の第１の値が、前記複数の第１背景トレーニング点に対応する複数の第１の値よりも高い値になるようにトレーニングし、
前記第２処理ユニットを、前記複数の第２前景トレーニング点に対応する複数の第２の値が、前記複数の第２背景トレーニング点に対応する複数の第２の値よりも高い値になるようにトレーニングすること、
を特徴とする請求項９記載の医用画像処理装置。
【請求項１３】
前記トレーニングユニットは、
前記第１の前景領域を構成するすべての画素を前記複数の第１前景トレーニング点として選択し、
前記第２前景領域を構成するすべての画素を前記複数の第２前景トレーニング点として選択すること、
を特徴とする請求項９記載の医用画像処理装置。
【請求項１４】
前記トレーニングユニットは、
疑似ランダム選択法またはＨａｌｔｏｎサンプリングを用いて、前記第１の前景領域を構成する全ての画素から前記複数の第１前景トレーニング点を選択し、前記第２前景領域を構成する全ての画素から前記複数の第２前景トレーニング点を選択すること、
を特徴とする請求項９記載の医用画像処理装置。
【請求項１５】
前記トレーニングユニットは、
前記第１処理ユニットを、前記複数の第１前景トレーニング点にそれぞれ対応する複数の画像特徴が入力された場合に前記複数の第１前景トレーニング点にそれぞれ対応する複数の第１の値が、前記複数の第１背景トレーニング点にそれぞれ対応する複数の画像特徴が入力された場合に前記複数の第１背景トレーニング点にそれぞれ対応する複数の第１の値よりも高くなるようにトレーニングし、
前記第２処理ユニットを、前記複数の第２前景トレーニング点にそれぞれ対応する複数の画像特徴が入力された場合に前記複数の第２前景トレーニング点にそれぞれ対応する複数の第２の値が、前記複数の第２背景トレーニング点にそれぞれ対応する複数の画像特徴が入力された場合に前記複数の第２背景トレーニング点にそれぞれ対応する複数の第２の値よりも高くなるようにトレーニングすること、
を特徴とする請求項９記載の医用画像処理装置。
【請求項１６】
前記複数の画像特徴は、画像強度、勾配、テキスチャ、ＳＵＲＦ、及び長距離特徴の少なくとも１つを含むこと、
を特徴とする請求項１５記載の医用画像処理装置。
【請求項１７】
前記第１処理ユニットのトレーニングに用いられる画像特徴は、前記第２処理ユニットのトレーニングに用いられる画像特徴と異なること、
を特徴とする請求項１５記載の医用画像処理装置。
【請求項１８】
前記複数の画素について、解剖学的ランドマークである確からしさを表す複数の第３特徴値を計算する第３処理ユニットをさらに具備し、
前記トレーニングユニットは、
前記他の医用画像の前記第２領域よりも狭い第３領域を用いてトレーニングすること、
を特徴とする請求項８記載の医用画像処理装置。
【請求項１９】
前記第２領域は前記第３領域を含むこと、
を特徴とする請求項１８記載の医用画像処理装置。
【請求項２０】
前記第１処理ユニットと前記第２処理ユニットとは、決定木、多変量ガウシアン、人工ニューラルネットワーク、サポートベクトルマシン、ｋ近傍法のうちの少なくとも１つを備えること、
を特徴とする請求項８記載の医用画像処理装置。
【請求項２１】
解剖学的ランドマークを含む第１の医用画像の第１領域を用いて調整された第１処理ユニットを用い、第２の医用画像を構成する複数の画素について、前記解剖学的ランドマークである確からしさを表す複数の第１の値を計算するステップと、
前記第１の医用画像の前記第１領域よりも狭い第２領域を用いて調整された第２処理ユニットを用い、前記第２の医用画像を構成する複数の画素について、前記解剖学的ランドマークである確からしさを表す複数の第２の値を計算するステップと、
前記複数の第１の値と前記複数の第２の値とに基づいて、前記第２の医用画像に含まれる前記解剖学的ランドマークとして最も確からしい位置を特定するステップと、
を具備することを特徴とする医用画像処理方法。
【請求項２２】
医用画像を構成する複数の画素について、解剖学的ランドマークの位置である確からしさを表す複数の第１の値を計算する第１処理ユニットと前記複数の画素について、前記解剖学的ランドマークの位置である確からしさを表す複数の第２の値を計算する第２処理ユニットとをトレーニングする方法であって、
前記解剖学的ランドマークを含む第１の医用画像の第１領域を前記解剖学的ランドマークの位置を含む第１の前景領域と前記解剖学的ランドマークの位置を含まない第１背景領域とに区別するステップと、
前記第１の医用画像の前記第１領域よりも狭い第２領域を前記解剖学的ランドマークの位置を含む第２前景領域と前記解剖学的ランドマークの位置を含まない第２背景領域とに区別するステップと、
前記第１の前景領域内の複数の第１前景トレーニング点と前記第１背景領域内の複数の第１背景トレーニング点とを用いて前記第１処理ユニットをトレーニングするステップと、
前記第２前景領域内の複数の第２前景トレーニング点と前記第２背景領域内の複数の第２背景トレーニング点とを用いて前記第２処理ユニットをトレーニングするステップと、
を具備することを特徴とする分類器トレーニング方法。
【発明の詳細な説明】
【技術分野】
【０００１】
本実施形態は、医用画像処理装置、医用画像処理方法及び分類器トレーニング方法に関する。
【背景技術】
【０００２】
解剖学的ランドマークは、身体構造内部における認識可能な点（標識点）である。医用画像処理において、解剖学的ランドマークは、例えば関連する画像を位置合わせまたは重ね合わせするのに、基準点として用いられる。図１は、例示として人体内部のいくつかの解剖学的ランドマークを示す。
【０００３】
解剖学的ランドマークの位置の特定は、正確さが重要である。例えば、血管トラッキングのためにランドマークを使用する場合には、５ｍｍまたはそれ以上の正確さが必要である。また、患者が異なる場合や撮影方向が異なる場合等の解剖学上の変動に、ランドマークが対応可能であることが必要である。
【０００４】
ランドマークを識別するための様々な方法が知られている。例えば、ランドマークの識別は、オペレータが手動で行う。しかし、オペレータによるランドマークの識別作業は、時間のかかるプロセスであって、その結果はオペレータ間で変動することがある。代替的に、ランドマークの識別は、分類器を使用して自動的に実施されてもよい。分類器は、アルゴリズムを備える。このアルゴリズムは、例えば、画像を構成する複数の点または点群をカテゴリー（クラス）に割り当てるアルゴリズムである。２クラス分類器は、点または点群を、第１のクラスまたは第２のクラスのどちらに割り当てるべきかを決定する。多重クラス分類器は、点または点群を、多数のクラスのうちのいずれのクラスに割り当てるべきかを決定する。
【０００５】
分類器は、画像データセットを用いてトレーニングされる。トレーニング用に使用される画像データセットをトレーニングデータセットと呼ぶ。トレーニングデータセットには、複数の画像のデータが含まれる。この複数の画像は、それぞれ対象となる解剖学的ランドマークの位置が既知の画像である。確率的分類器は、所与の点が特定のクラス内にある確からしさを表すパラメータを出力する。この確からしさを表すパラメータは、例えば、尤度や確率等である。
【０００６】
単一の手順中に画像データセット内の複数の解剖学的ランドマークを識別するために多重クラス分類器を使用することが知られている。例えば、多重クラス分類器は、画像を構成する複数の点（または点群）が、解剖学的ランドマークＡを含む領域にある確率、解剖学的ランドマークＢを含む領域にある確率、または、解剖学的ランドマークを含まない領域にある確率を出力する。次いで、複数の点にそれぞれ対応する複数の確率を互いに比較することによって、解剖学的ランドマークＡである確率の高い点（または点群）、解剖学的ランドマークＢである確率の高い点（または点群）の位置を特定することができる。
【０００７】
多重クラス分類器をトレーニングするためには、通常、トレーニングデータセット内の複数の画像各々において、前景領域と背景領域とが設定される必要がある。前景領域は、ランドマークを含む領域であり、背景領域は、ランドマークを含まない領域である。そして、前景領域からトレーニング対象の前景点（以下、前景トレーニング点と呼ぶ。）が手動または自動で設定される。同様に、背景領域からトレーニング対象の背景点（以下、背景トレーニング点と呼ぶ。）が手動または自動で設定される。通常、背景領域は、前景領域よりも大きい。一方、背景トレーニング点と前景トレーニング点の数は同様である場合がある。そのため、比較的少数の背景トレーニング点を使用して、大きく、多様な背景領域を表さなければならない場合がある。つまり、多重クラス分類器を使用すると、解剖学的ランドマークの特定の精度が悪くなる可能性がある。
【０００８】
図２Ａは、２クラス分類器のためのサンプリングを表わす概略図である。図２Ａは、２クラス分類器のトレーニングに使用される前景トレーニング点５０と背景トレーニング点５２が設定された画像の一例を示している。前景トレーニング点５０は、円形で描かれており、背景トレーニング点５２は、三角形で描かれている。前景トレーニング点５０は、ランドマーク上またはその近傍の領域に設定される。一方、背景トレーニング点５２は、ランドマークから一定の距離またはランドマークに関連性の低いと推測される領域に設定される。図２Ａの前景トレーニング点５０と背景トレーニング点５２は、例えば、入れ子型ではない、単一ステップの分類器をトレーニングするのに用いられる。分類器は、所与の点がランドマークを含む領域であるか、ランドマークを含まない領域であるかを区別可能に、トレーニングされなければならない。分類器が確率的分類器の場合、所与の点がランドマークを含む領域である確率（尤度）またはランドマークを含まない領域である確率（尤度）を出力するように、トレーニングされなければならない。
【０００９】
複数のランドマークの位置を特定するための１つの方法として、多重クラス分類器を用いる方法がある。例えば、３つのランドマークの位置を特定する場合を想定する。このとき用いられる多重クラス分類器は、所与の点を４つのクラスに分別する４クラス分類器である。４つのクラスとは、３つのランドマーク（第１ランドマーク、第２ランドマーク及び第３ランドマーク）にそれぞれ対応する３つのクラスと、背景に対応する１つのクラスである。４クラス分類器は、所与の点を４つのクラスに区別するためにトレーニングされる。このとき、図２Ｂのように、前景トレーニング点と背景トレーニング点とが設定される。
【００１０】
図２Ｂは、多重クラス分類器のためのサンプリングを表わす概略図である。図２Ｂは、多重クラス分類器のトレーニングに使用される前景トレーニング点と背景トレーニング点が設定された画像に示している。背景トレーニング点５２は三角形で、第１前景トレーニング点５０は円形で、第２前景トレーニング点５４は四角形で、第３前景トレーニング点５６は円形で描かれている。第１前景トレーニング点５０は、第１ランドマークを含む第１の前景領域に設定される。第２前景トレーニング点５４は、第２ランドマークを含む第２前景領域に設定される。第３前景トレーニング点５６は、第３ランドマークを含む第３前景領域に設定される。
【００１１】
しかしながら、１つの多重クラス分類器を用いて複数のランドマークを一同に区別するためのトレーニングには、複雑な決定面を必要とすることがある。より高い精度を達成するために、複数のランドマーク各々に対応する複数の前景トレーニング点は、図２Ｂに示すように、ランドマークのまわりの小さな領域に設定される必要がある。しかしながら、その結果として多くの前景トレーニング点を設定できない可能性がある。多重クラス分類器のトレーニングにおいて、複数のクラス各々のトレーニング点は、ほぼ同数必要とする場合がある。したがって、前景トレーニング点の数が多く設定できない場合、背景トレーニング点の数も、同様に多く設定できない。すると、少数の背景トレーニング点によって、背景領域（背景ボクセル）における膨大な変動を表わさなければならないことがある。
【発明の概要】
【発明が解決しようとする課題】
【００１２】
目的は、解剖学的ランドマークの最も確からしい位置の特定精度を向上することのできる医用画像処理装置、医用画像処理方法及び分類器トレーニング方法を提供することにある。
【課題を解決するための手段】
【００１３】
一実施形態に係る医用画像処理装置は、解剖学的ランドマークを含む第１の医用画像の第１領域を用いて調整され、第２の医用画像を構成する複数の画素について、前記解剖学的ランドマークである確からしさを表す複数の第１の値を計算する第１処理ユニットと、
前記第１の医用画像の前記第１領域よりも狭い第２領域を用いて調整され、前記第２の医用画像を構成する複数の画素について、前記解剖学的ランドマークである確からしさを表す複数の第２の値を計算する第２処理ユニットと、
前記複数の第１の値と前記複数の第２の値とに基づいて、前記第２の医用画像に含まれる前記解剖学的ランドマークとして最も確からしい位置を特定するランドマーク位置特定ユニットと、を具備することを特徴とする。
【００１４】
一実施形態に係る医用画像処理装置は、医用画像を構成する複数の画素について、解剖学的ランドマークの位置である確からしさを表す複数の第１の値を計算する第１処理ユニットと、前記複数の画素について、前記解剖学的ランドマークの位置である確からしさを表す複数の第２の値を計算する第２処理ユニットと、前記解剖学的ランドマークを含む第１の医用画像の第１領域を用いて前記第１処理ユニットをトレーニングし、前記第１領域よりも狭い第２領域を用いて前記第２処理ユニットをトレーニングするトレーニングユニットと、を具備することを特徴とする。
【図面の簡単な説明】
【００１５】
【図１】図１は、解剖学的ランドマークの位置を表わす図である。
【図２Ａ】図２Ａは、２クラス分類器のためのサンプリングを表わす概略図である。
【図２Ｂ】図２Ｂは、多重クラス分類器のためのサンプリングを表わす概略図である。
【図３】図３は、本実施形態に係る医用画像処理装置のブロック構成の一例を示す図である。
【図４】図４は、本実施形態に係り、分類器トレーニングプロセスの一例を説明するフローチャートである。
【図５】図５は、図４の分類器トレーニングプロセスにおいて設定される前景領域と背景領域を説明するための補足説明図である。
【図６】図６は、本実施形態に係り、ランドマーク位置特定プロセスの一例を説明するフローチャートである。
【図７】図７は、分類器領域の寸法が、ランドマークの位置の特定に与える影響を説明するための補足説明図である。
【図８Ａ】図８Ａは、入れ子型の２つの分類器のうち、第１の分類器の出力結果の一例を示す図である。
【図８Ｂ】図８Ｂは、入れ子型の２つの分類器のうち、第２の分類器の出力結果の一例を示す図である。
【発明を実施するための形態】
【００１６】
以下、図面を参照しながら本実施形態に係る医用画像処理装置を説明する。なお、以下の説明において、略同一の機能及び構成を有する構成要素については、同一符号を付し、重複説明は必要な場合にのみ行う。
【００１７】
図３は、本実施形態に係る医用画像処理装置のブロック構成の一例を示す図である。本実施形態に係る医用画像処理装置（以下、本医用画像処理装置と呼ぶ。）は、医用画像に含まれる解剖学的ランドマーク（以下、単にランドマークと呼ぶ。）の位置を高い精度で特定する。本医用画像処理装置１０は、使用する分類器のトレーニングを行い、この分類器を使用して、医用画像に含まれるランドマークの最も確からしい位置を特定するように構成される。
【００１８】
本医用画像処理装置１０は、処理装置１２を有する。処理装置１２は、例えば、パーソナルコンピュータ（ＰＣ）またはワークステーション等である。処理装置１２は、ＣＴスキャナ１４と、ディスプレイスクリーン１６と、入力デバイス１８とに接続される。
【００１９】
入力デバイス１８は、本医用画像処理装置１０にユーザの指示情報を入力するための入力インターフェースである。入力デバイス１８には、例えば、コンピュータのキーボードおよびマウス等が適用されるのが好適である。
【００２０】
ＣＴスキャナ１４は、医用画像データセットを発生する。この医用画像データセットは、例えば、ＣＴ再構成画像データセット等である。本実施形態において、ＣＴスキャナ１４には、ＣＴスキャナだけではなく、任意好適なスキャナが使用されてもよい。ＣＴスキャナ１４は、２次元または３次元の医用画像データセットを取得するのに適当な任意のスキャナ、例えば、ＭＲＩスキャナまたは超音波スキャナによって置換または補完される。
【００２１】
本実施形態において、ＣＴスキャナ１４によって得られた医用画像データセットは、メモリユニット２０内に記憶される。そして、医用画像データセットは、処理装置１２に供給される。代替的実施形態において、医用画像データセットは、ＰＡＣＳ（Picture Archiving and Communication System）等のリモートデータストア（図示せず）から処理装置１２に供給されてもよい。
【００２２】
メモリユニット２０またはリモートデータストアは、任意好適な形態のメモリ記憶を備えてもよい。メモリユニット２０またはリモートデータストアは、トレーニングデータセットを記憶する。トレーニングデータセットは、複数の医用画像データセットを含む。この医用画像データセットはランドマークの位置が既知である。すなわち、医用画像データセットは、ユーザによる手動等により、ランドマークの位置がマーキングされている医用画像データセットである。
【００２３】
処理装置１２は、医用画像データセットに対して、自動的または半自動的に医用画像処理を実行するための処理リソースを提供する。処理装置１２は、多様なソフトウェアモジュールまたはその他のソフトウェア構成要素をロードして実行可能な、中央処理ユニット（ＣＰＵ）２２を含む。処理装置１２は、後述する図４および図６に沿った処理を実行可能に構成される。
【００２４】
処理装置１２は、分類器トレーニングユニット２６とランドマーク位置特定ユニット２８とを有する。  
ランドマーク位置特定ユニット２８は、医用画像データセットに含まれるランドマークの最も確からしい位置を特定する。そのために、ランドマーク位置特定ユニット２８は、第１の分類器（第１処理ユニット）と、第２の分類器（第２処理ユニット）と、結合器（結合ユニット）とを有する。
【００２５】
第１の分類器及び第２分類器は、それぞれ第１の医用画像の第１領域及び第２領域を用いてトレーニングされる。第１の医用画像は、ランドマークの位置が既知の医用画像である。詳細は後述するが、第１の分類器（第１処理ユニット）は、第２の医用画像を構成する複数の画素にそれぞれ対応する複数の第１の値を計算する。第２の医用画像は、ランドマークの位置が未知の医用画像である。同様に、第２の分類器（第２処理ユニット）は、上述の第２の医用画像を構成する複数の画素にそれぞれ対応する複数の第２の値を計算する。結合器は、複数の第１の値と複数の第２の値とに基づいて、結合分別結果を出力する。ランドマーク位置特定ユニット２８は、結合分別結果に基づいて、第２の医用画像に含まれる解剖学的ランドマークとして最も確からしい位置を特定する。
【００２６】
分類器トレーニングユニット２６は、トレーニングデータセットを用いて、第１の分類器と第２の分類器のトレーニングを行う。
【００２７】
図３に示す本医用画像処理装置１０は、分類器トレーニングプロセスとランドマーク位置特定プロセスとを実施可能に構成される。分類器トレーニングプロセスは、図４のフローチャートに、そのプロセスの一例が示される。分類器トレーニングプロセスでは、トレーニングデータセットに基づいて分類器がトレーニングされる。ランドマーク位置特定プロセスは、図６のフローチャートに、そのプロセスの一例が示される。ランドマーク位置特定プロセスでは、トレーニングされた分類器を用いて医用画像を処理することにより、医用画像に含まれるランドマークの最も確からしい位置が特定される。
【００２８】
なお、本実施形態では、分類器トレーニングプロセスとランドマーク位置特定プロセスとが同一の装置内で実行されると記載している。しかしながら、分類器トレーニングプロセスとランドマーク位置特定プロセスとが互いに異なる装置で実行されてもよい。例えば、第１の装置で分類器トレーニングプロセスが実行され、第２の装置でランドマーク位置特定プロセスが実行されてもよい。このとき、第１の装置は、図４のプロセスを実施可能に構成される。第２の装置は、図６のプロセスを実施可能に構成される。第２の装置は、第１の装置によりトレーニングされた分類器を用いる。なお、第１の装置でトレーニングされた分類器は、複数の第２の装置各々で用いられてもよい。すなわち、例えば、トレーニングデータセットに基づいて、第１の装置により分類器がトレーニングされる。トレーニングされた分類器は、複数の別のコンピュータ（例えば、放射線科医またはその他のオペレータによって使用されるワークステーション、または中央サーバ）に分配される。複数の別のコンピュータ各々は、第１の装置でトレーニングされた分類器を使用して、医用画像に含まれるランドマークを特定するようにしてもよい。
【００２９】
このとき、一実施形態において、第１の装置および第２の装置のそれぞれは、図３に示すような装置である。代替的実施形態においては、第１の装置は、図３に示す装置からランドマーク位置特定ユニット２８を除外した装置である。また、第２の装置は、図３に示す装置から分類器トレーニングユニット２６またはＣＴスキャナ１４を除外した装置である。そのような代替的実施形態において、分類器のトレーニングおよびランドマークの位置の特定は、それぞれ異なる装置によって個別に実施される。
【００３０】
図３の実施形態において、分類器トレーニングユニット２６と、ランドマーク位置特定ユニット２８とは、それぞれ、本実施形態の方法を実施するために実行可能な、コンピュータ可読命令を有するコンピュータプログラムによって、処理装置１２に実装される。しかしながら、その他の実施形態において、それぞれのユニットは、ソフトウェア、ハードウェア、またはハードウェアとソフトウェアとの任意好適な組合せとして実装してもよい。実施形態によっては、様々なユニットを、１つまたは２つ以上のＡＳＩＣ（特定用途向け集積回路）、ＧＰＵ（グラフィック処理装置）、またはＦＰＧＡ（フィールドプログラマブルゲートアレイ）、その他任意の事前プログラムされた、もしくはプログラム可能なロジックデバイスとして実装してもよい。
【００３１】
また、処理装置１２は、ハードドライブと、ＲＡＭ、ＲＯＭ、データバスを含むＰＣのその他の構成要素と、様々なデバイスドライバを含むオペレーティングシステムと、グラフィックカードを含むハードウェアデバイスと、を含む。そのような構成要素は、分かりやすくするために図３には図示していない。
【００３２】
本実施形態においては、分類器トレーニングユニット２６は、第１の分類器と第２の分類器のトレーニングを実施する。第１の分類器と第２の分類器は、例えば、入れ子型の分類器を構成する。第１の分類器と第２の分類器とは、医用画像に含まれる特定のランドマークの最も確からしい位置を特定するために用いられる。この医用画像は、ＣＴスキャナ１４またはその他適当なスキャナから得られた画像に対応する。なお、他の実施形態においては、より多数の入れ子型分類器が使用されてもよい。例えば、第１の分類器と第２の分類器と第３分類器が使用されてもよい。分類器トレーニングユニット２６は、医用画像を構成する画像データ項目、例えば画素（ピクセル）、ボクセル、その他の点または点群に関して、分類器をトレーニングする。
【００３３】
本実施形態において、ランドマークは、既知の解剖学的ランドマーク、例えば、右側脳室の前角である。さらなる実施形態においては、ランドマークは、任意の既知の解剖学的ランドマーク、または識別可能な対象点または基準点を提供するという同じ機能を果たすものであれば、その他任意の点または点群としてもよい。
【００３４】
以下、分類器トレーニングプロセスについて図４と図５とを参照して説明する。  
図４は、本実施形態に係り、分類器トレーニングプロセスの一例を説明するフローチャートである。  
図５は、図４の分類器トレーニングプロセスにおいて設定される前景領域と背景領域を説明するための補足説明図である。  
分類器トレーニングユニット２６は、メモリユニット２０から、トレーニングデータセットと当該トレーニングデータセットに対応するランドマーク位置のデータとを受け取る。トレーニングデータセットは、ランドマークの位置が既知の複数の医用画像のデータである。以下、分類器トレーニングプロセスを、２次元の医用画像のデータに関係して説明する。しかしながら、２次元の医用画像のデータではなく、３次元の医用画像のデータを、トレーニングデータセットとして使用してもよい。３次元の医用画像のデータは、２次元の医用画像のデータよりも、実際に使用される可能性が高い。
【００３５】
トレーニングデータセットにおいて、ランドマークの位置は予め特定されている。本実施形態において、トレーニングデータセットのランドマークの位置は、例えば、臨床医により手動で予め特定されている。そのランドマークの位置のデータは、トレーニングデータセットと関連付けて、メモリユニット２０に記憶されている。なお、特定のランドマークは、医用画像が異なれば、その位置は異なる場合がある。また、同一の撮影条件下で撮影された医用画像であっても、患者が異なれば、その位置は異なる場合がある。また、同一の患者に関する医用画像であっても、撮影条件が異なれば、その位置は異なる場合がある。例えば、全体画像強度は変わることがある。
【００３６】
代替的実施形態において、分類器トレーニングユニット２６は、リモートデータストアから、トレーニングデータセットと、対応するランドマーク位置のデータを受け取る。さらなる実施形態においては、ＣＴスキャナ１４は、複数の患者にそれぞれ対応する複数のトレーニングデータセットを収集する。複数のトレーニングデータセット各々から、臨床医により、ランドマークの位置が特定される。その他の実施形態においては、ランドマークの位置を特定する方法に、代替的方法が使用される。この代替的方法は、手動式、自動式、または部分的手動式、および部分的自動式としてもよい。
【００３７】
分類器は、医用画像に含まれるランドマークの最も確からしい位置を特定するために使用される。分類器は、医用画像を構成する複数の点（画素）各々を、ランドマークを含む領域にあるか、またはランドマークを含まない領域にあるかを区別できなければならない。
【００３８】
前景という用語は、ランドマークを含む領域を指して用いてもよく、背景という用語は、ランドマークを含まない領域を指して用いてもよい。本実施形態では、前景および背景の用語は、ランドマークを含むか、含まないか以外に、特定の領域の画像内容に関して、必ずしも何かを示唆するとは限らない。例えば、その境界に応じて、背景領域または前景領域は、被験者の解剖学的構造の領域、および／または被験者の解剖学的構造を含まない画像上の空白領域、および／またはテーブルまたはその他の外部構造の領域を含むことがあり、特定の物質または構造を表わす画像データだけを含むことに限定はされない。
【００３９】
本実施形態において、ランドマーク近傍の点の分類は、単一の分類器を使用することによるのではなく、２つの分類器（第１の分類器及び第２の分類器）を使用することにより達成される。２つの分類器各々は、以下に記載のようにトレーニングされる。第１の分類器と第２の分類器は、同一のトレーニングデータセットでトレーニングされる。しかしながら、第１の分類器と第２の分類器は、トレーニングデータセットで設定される前景領域と背景領域がそれぞれ異なる。第２の分類器のトレーニングで設定される前景領域は、第１の分類器のトレーニングで設定される前景領域よりも狭い。これは、本実施形態の重要な特徴の１つである。
【００４０】
（ステップ３２）第１の分類器領域、第１の前景領域、及び第１の背景領域の設定  
分類器トレーニングユニット２６は、トレーニングデータセットに対して、第１の分類器領域１００を決定する。本実施形態において、第１の分類器領域１００は、全体画像Ｕに決定される。その他の実施形態においては、第１の分類器領域１００は、患者の身体、または指定された身体区画を表わす画像の部分に決定されてもよい。また、第１の分類器領域１００は、ユーザにより指定されてもよい。
【００４１】
以下に、前景領域及び背景領域等の定義およびトレーニング点の選択方法について、図５に示す医用画像を参照して説明する。なお、ここでは、医用画像に対して実施されているプロセスは、その医用画像に対応する医用画像データに対して実施されているプロセス、またはその医用画像に対応する医用画像データを含むプロセスであってもよい。すなわち、例えば、選択されている医用画像の特定の領域に言及することは、通常、選択されている医用画像データセットの等価なサブセットを、表わすかまたは含むことになる。
【００４２】
本実施形態において、それぞれの画像データのセットは、ピクセルまたはボクセルからなる。ピクセルまたはボクセルの寸法は、元のＣＴ（または代替的様式の）スキャンから生じるピクセルまたはボクセルの寸法としてもよい。代替的に、ピクセルまたはボクセルの寸法は、元の画像のダウンサンプリングによって生じる、より大きなピクセルまたはボクセルの寸法としてもよい。
【００４３】
図５（ｃ）は、トレーニングデータセットに対応する医用画像である。この医用画像は、ランドマークが既知の医用画像である。図５（ｃ）に示すように、分類器トレーニングユニット２６は、トレーニングデータセットの第１の分類器領域１００を、第１の前景領域１０２と第１の背景領域λＵＣとに区画する。
【００４４】
分類器トレーニングユニット２６は、第１の前景領域１０２と第１の背景領域λＵＣとの間の領域境界を定義する。具体的には、本実施形態において、分類器トレーニングユニット２６は、第１の分類器領域１００における第１の前景領域１０２を定義する。例えば、分類器トレーニングユニット２６は、第１の前景領域１０２を、１辺の長さがＬｃの正方形Ｃで定義する。領域λCは、第１の前景領域１０２であり、言い換えると、全体画像Ｕの正方形Ｃ内に含まれる画像の領域として定義される。さらなる実施形態において、第１の前景領域１０２は、長方形、円形、またはその他任意の適当な形状で定義されてもよい。通常、第１の前景領域１０２は、その中心位置がランドマークになるように定義されるが、第１の前景領域１０２の中心位置はランドマークでなくてもよい。
【００４５】
分類器トレーニングユニット２６は、第１の分類器領域１００のうち、第１の前景領域１０２ではない領域を、第１の背景領域として定義する。図５のプロット（ｃ）に示すように、本実施形態において、第１の背景領域は、画像Ｕの全体領域のうち領域λCに含まれない領域であり、第１の背景領域を
【数１】
2015036123.tif 000003
【００４６】
と定義する。以下、第１の背景領域を第１の背景領域λＵＣとも記載する。第１の代替的実施形態において、分類器トレーニングユニット２６は、第１の背景領域を、第１の前景領域１０２の部分ではない、第１の分類器領域１００の部分として定義する。このとき、第１の背景領域は、第１の分類器領域１００のうち、第１の前景領域１０２以外の残りの領域全体でなくてもよい。
【００４７】
ステップ３２の終わりにおいて、分類器トレーニングユニット２６は、トレーニングデータセットに含まれる複数の医用画像各々に対して、第１の分類器領域１００と、第１の背景領域λＵＣと、第１の前景領域１０２とを定義する。このとき、第１の前景領域１０２を定義するための正方形Ｃの寸法は、複数の医用画像各々で同一であり、正方形Ｃの中心位置はそれぞれのランドマークλを中心とする。また、複数の医用画像各々は、同一のランドマークλを含む画像である。
【００４８】
（ステップ３４）第１の前景トレーニング点と第１の背景トレーニング点の選択  
分類器トレーニングユニット２６は、トレーニングデータセットに含まれる複数の医用画像各々の第１の前景領域１０２（領域λC）から、第１の前景トレーニング点を選択する。第１の前景トレーニング点は、第１の前景トレーニングサンプルまたは第１の前景トレーニングピクセルとも呼ばれる場合がある。第１の前景領域１０２を構成するピクセルの数が閾値以下である場合には、分類器トレーニングユニット２６は、第１の前景領域１０２を構成するピクセルのすべてを、第１の前景トレーニング点として選択する。第１の前景領域１０２を構成するピクセルの数が、閾値よりも大きい場合には、分類器トレーニングユニット２６は、サンプル選択法を用いて、第１の前景領域１０２を構成する複数のピクセルから、複数の第１の前景トレーニング点を選択する。
【００４９】
本実施形態において、サンプル選択法は、固定シードを用いるＨａｌｔｏｎサンプリングである。その他の実施形態において、代替的な他のサンプル選択法、例えば、擬似ランダムサンプリング法が用いられてもよい。本実施形態において、前景トレーニング点及び背景トレーニング点は、個々のピクセルである。代替的な実施形態において、前景トレーニング点及び背景トレーニング点は、ピクセル群、またはダウンサンプリングされたピクセルであってもよい。
【００５０】
次に、分類器トレーニングユニット２６は、トレーニングデータセットに含まれる複数の医用画像各々の第１の背景領域λＵＣから、複数の第１の背景トレーニング点（第１の背景トレーニングサンプルまたは第１の背景トレーニングピクセルとも呼ばれる場合がある）を選択する。第１の背景領域λＵＣを構成するピクセルの数が閾値以下である場合に、分類器トレーニングユニット２６は、第１の背景領域λＵＣを構成するピクセルのすべてを、第１の背景トレーニング点として選択する。第１の背景領域λＵＣを構成するピクセルの数が、閾値よりも大きい場合に、分類器トレーニングユニット２６は、サンプル選択法を用いて、第１の背景領域λＵＣを構成する複数のピクセルから、複数の第１の背景トレーニング点を選択する。本実施形態において、第１の前景領域１０２から複数の第１の前景トレーニング点を選択する方法については、同じ方法（Ｈａｌｔｏｎサンプリング）が適用される。しかしながら、他の実施形態においては、種類の異なる、例えば２つのサンプリング方法が用いられてもよい。
【００５１】
入れ子型分類器を用いるときには、ランドマークを位置特定する際に、２つ以上のステップが用いられる。例えば、本実施形態では、ランドマークの位置を特定するために、第１の分類器と第２の分類器とが使用される。第１の分類器と第２の分類器は、入れ子型分類器を構成する。第１の分類器は、第１の分類器領域を対象に、前景領域と背景領域を区別するためにトレーニングされる。第２の分類器は、第２の分類器領域を対象に、前景領域と背景領域を区別するためにトレーニングされる。このとき、第２の分類器領域は第１の分類器領域も狭い範囲である。図５のプロット（ｃ）に図示されているように、本実施形態の第１の分類器のトレーニングにおいて設定される第１の前景領域１０２と第１の背景領域λＵＣの寸法差は、図２Ａに表わされた前景領域と背景領域の寸法差に比べて大きくはない。なお、図２Ａにおいて、前景領域は、前景トレーニング点５０で囲まれた領域である。背景領域は、図２Ａに表した医用画像の全体領域のうち前景トレーニング点５０で囲まれた領域以外の領域である。これは、第１の分類器ＣCは、実質的に前景領域λC内のランドマークの位置を特定するためだけに設計されているからである。第２の分類器ＣBは、より小さい前景領域λB内のランドマークの位置を特定するために、トレーニングされる。
【００５２】
図３の実施形態において、第１の背景トレーニング点の数が第１の前景トレーニング点の数の２倍になるように選択される。他の実施形態において、第１の前景トレーニング点の数は、第１の背景トレーニング点の数と異なるように選択される。
【００５３】
（ステップ３６）第１の分類器のトレーニング  
分類器トレーニングユニット２６は、トレーニングアルゴリズムを使用して、第１の分類器ＣCをトレーニングする。第１の分類器ＣCは、医用画像を構成する複数のピクセルを第１のクラスと第２のクラスに区別するためにトレーニングされる。第１のクラスは、ピクセルが前景領域に含まれるクラスであり、第２のクラスは、ピクセルが背景領域に含まれるクラスである。本実施形態において、分類器トレーニングユニット２６は、トレーニングデータセットに含まれる複数の医用画像を使用して第１の分類器ＣCをトレーニングする。具体的には、分類器トレーニングユニット２６は、複数の医用画像各々において、複数の第１の前景トレーニング点と、複数の第１の背景トレーニング点とを決定する。分類器トレーニングユニット２６は、複数の第１の前景トレーニング点が第１のクラスに区別されるように、複数の第１の背景トレーニング点が第２のクラスに区別されるように、第１の分類器ＣCをトレーニングする。他の実施形態において、分類器トレーニングユニット２６は、トレーニング点（第１の前景トレーニング点及び第１の背景トレーニング点）のサブセットを使用して、第１の分類器ＣCをトレーニングする。さらに、他の実施形態において、分類器トレーニングユニット２６は、トレーニングデータセットの一部のトレーニング点を使用して、第１の分類器ＣCをトレーニングする。
【００５４】
分類器は、トレーニング点の特定の特性を考慮することによってトレーニングされる。トレーニング点の特性は特徴とも呼ばれる。トレーニング点の特徴は、例えば、トレーニング点自体の特徴である。しかしながら、トレーニング点の特徴は、トレーニング点を含む領域の特徴であってもよい。また、トレーニング点の特徴は、トレーニング点と他のトレーニング点との間の関連性を示す特徴であってもよい。さらに、トレーニング点の特徴は、トレーニング点で定義される他の点の特徴であってもよい。
【００５５】
トレーニング点の特徴の一例は、トレーニング点における画像強度である。別の例は、トレーニング点を囲むように定義された領域の平均強度である。さらに別の例は、トレーニング点から所定の距離と角度にある他のトレーニング点の画像強度である。別の例は、トレーニング点またはその近傍における、強度勾配、強度変動、他の特性の変動、または他の尺度等である。つまり、トレーニング点の特徴は、数値パラメータである。また、これらの特徴は、対象のトレーニング点またはその近傍における、特定の形状または寸法の領域の有無を反映してもよい。また、これらの特徴は、対象のトレーニング点自体の特徴でなくてもよい。トレーニングデータセットにおいて、対象のトレーニング点に対して、その位置が定義されている部分の特徴としてもよい。トレーニング点自体の特徴、そのトレーニング点のまわりの領域の特徴、またはトレーニング点群の特徴を、分類器トレーニングプロセスにおける、特定のトレーニング点の特徴として使用してもよい。複数種類の特徴の中で、トレーニングに用いる特徴は、オペレータの指示に従って任意に設定が可能である。言い換えると、分類器トレーニングプロセスにおいて、分類器のトレーニングに使用されるデータには、トレーニング点の特徴を表すデータ、トレーニング点を含む点群の特徴を表すデータ、トレーニング点に対して定義されている点、またはトレーニング点に対して定義されている点群の特徴を表すデータ等が適用可能である。このときの特徴は、画像強度、平均強度、強度勾配、強度変動等の項目が該当する。しかしながら、特徴を示す項目は、トレーニングデータセットに対応する医用画像において、前景領域と背景領域との間の画像の差異を表せるのであれば、他の項目であってもよい。
【００５６】
分類器トレーニングプロセスにおいて、分類器トレーニングユニット２６は、複数の第１の前景トレーニング点にそれぞれ対応する複数の特徴と、複数の第１の背景トレーニング点にそれぞれ対応する複数の特徴とをそれぞれ評価する。これらの特徴には、対象のトレーニング点（前景トレーニング点及び背景トレーニング点）に対して異なる場所における、強度、勾配、テキスチャまたはＳＵＲＦ特徴（Speeded Up Robust Features）を含めてもよい。
【００５７】
次に、分類器トレーニングユニット２６は、複数のトレーニング点にそれぞれ対応する複数の特徴とトレーニングアルゴリズムとに基づいて、第１の分類器ＣC用の特徴ベクトルを発生する。特徴ベクトルは、所与の点が第１のクラス及び第２のクラスのどちらに分類されるかを判定するために用いられる。
【００５８】
具体的には、分類器トレーニングユニット２６は、複数の前景トレーニング点にそれぞれ対応する複数の特徴ベクトルに基づいて、前景領域用の特徴ベクトルの確率分布を発生する。前景領域用の特徴ベクトルは、前景トレーニング点の特徴やパターンを表すデータである。分類器トレーニングユニット２６は、例えば、前景領域用の特徴ベクトルの確率分布が正規分布になるように、特徴ベクトルの定数等を調整する。また、分類器トレーニングユニット２６は、複数の背景トレーニング点にそれぞれ対応する複数の特徴ベクトルに基づいて、背景領域用の特徴ベクトルの確率分布を発生する。背景領域用の特徴ベクトルは、背景トレーニング点の特徴やパターンを表すデータである。特徴ベクトルは、１種類の特徴または複数種類の特徴を変数とした関数である。分類器トレーニングユニット２６は、背景領域用の特徴ベクトルの確率分布が正規分布になるように、特徴ベクトルの定数等を調整する。さらに、分類器トレーニングユニット２６は、前景領域用の特徴ベクトルの確率分布と背景領域用の特徴ベクトルの確率分布とが区別可能に特徴ベクトルの定数等を調整する。例えば、分類器トレーニングユニット２６は、前景領域用の特徴ベクトルの確率分布のピークの位置が背景領域用の特徴ベクトルの確率分布のピークと異なる位置になるように、特徴ベクトルの定数等を調整する。このとき、背景領域用の特徴ベクトルに使用される特徴及び定数は、前景領域用の特徴ベクトルに使用される特徴及び定数と同一である。しかしながら、他の実施形態では、背景領域用の特徴ベクトルに使用される特徴及び定数は、前景領域用の特徴ベクトルに使用される特徴及び定数とそれぞれ異なる。
【００５９】
この場合に、第１の分類器ＣCは決定森（decision forest）である。第１の分類器ＣCは、複数の決定木で構成される。この構成を決定森と呼ぶ。代替的実施形態において、第１の分類器ＣCは、任意の確率的２クラス分類器、例えば、多変量ガウシアン（multivariate Gaussian）、人工ニューラルネットワーク、サポートベクトルマシン（support vector machine）またはｋ近傍法（k-nearest neighbor）である。
【００６０】
上記のステップ３２〜３６のプロセスにより、第１の分類器ＣCをトレーニングすることができる。次に、同様のプロセス（以下、ステップ３８〜４２で実施される。）を用いることで、入れ子型の第２の分類器をトレーニングすることができる。
【００６１】
（ステップＳ３８）第２の分類器領域、第２の前景領域、及び第２の背景領域の設定  
分類器トレーニングユニット２６は、トレーニングデータセットに対して、第２の分類器領域１０２を決定する。
【００６２】
本実施形態の分類器トレーニングプロセスの一例を示す図４のフローチャートにおいて、ステップ３８〜４２（第２の分類器領域の定義、および第２の分類器のトレーニング）は、ステップ３２〜３６（第１の分類器領域の定義、および第１の分類器のトレーニング）の後に行われる。代替的実施形態において、第２の分類器領域の定義は、図４のフローチャートにおいて、任意好適なときに行われてもよい。例えば、第２の分類器領域の定義は、第１の分類器領域の定義の前または第１の分類器領域の定義と同時に行われる。また、第２の分類器のトレーニングは、図４のフローチャートにおいて、任意好適なときに行われてもよい。例えば、第２の分類器のトレーニングは、第１の分類器のトレーニングの前または第１の分類器のトレーニングと同時に行われてもよい。
【００６３】
本実施形態において、分類器トレーニングユニット２６は、図５のプロット（ｂ）に図示するように、第２の分類器領域１０２を、第１の前景領域１０２（領域λC）に決定する。次に、分類器トレーニングユニット２６は、第２の分類器領域１０２を、第２の前景領域１０４と第２の背景領域とに区画する。第２の背景領域を、
【数２】
2015036123.tif 000004
【００６４】
と定義する。以下、第２の背景領域を第２の背景領域λＣＢとも記載する。
【００６５】
本実施形態において、第２の前景領域１０４（領域λBとも呼ぶ。）は、１辺の長さがＬBの正方形Ｂで定義される。また、第２の前景領域１０４は、ランドマークλを中心とする、正方形Ｂに含まれる画像の部分として定義される。第２の背景領域λＣＢは、領域λCのうち、領域λBではない、画像の部分として定義される。したがって、第２の背景領域λＣＢの外部境界は、第１の前景領域１０２の外部境界と、実質的に同一である。
【００６６】
（ステップ４０）第２の前景トレーニング点と第２の背景トレーニング点の選択  
分類器トレーニングユニット２６は、ステップ３４と同様の選択方法および閾値を用いて、第２の前景領域１０４から複数の第２の前景トレーニング点と、第２の背景領域λＣＢから複数の第２の背景トレーニング点とを選択する。代替的実施形態において、ピクセル数に対する異なる閾値が用いられる。その他の実施形態においては、第２の前景トレーニング点および第２の背景トレーニング点に対しては、第１の前景トレーニング点および第１の背景トレーニング点に対して用いたのとは異なる、選択方法が用いられる。言い換えると、第２の分類器のトレーニングに使用されるトレーニング点の選択方法は、第１の分類器のトレーニングに使用されるトレーニング点の選択方法と異なる方法であってもよい。本実施形態において、ステップ３４における第１の分類器のトレーニングがそうであったように、第２の背景トレーニング点の数は、第２の背景トレーニング点の数になるように選択される。
【００６７】
（ステップ４２）第２の分類器のトレーニング  
分類器トレーニングユニット２６は、トレーニングアルゴリズムを使用して、第２の分類器ＣＢをトレーニングする。第２の分類器ＣＢのトレーニングのために、第２の前景トレーニング点と第２の背景トレーニング点とが使用される。第２の背景トレーニング点は、第２の背景領域λＣＢから選択される。一方、第２の前景トレーニング点は、第２の前景領域１０４から選択される。本実施形態において、第２の分類器は決定森である。その他の実施形態においては、代替的分類器が用いられる。
【００６８】
分類器トレーニングプロセスにおいて、分類器トレーニングユニット２６は、複数の第２の前景トレーニング点にそれぞれ対応する複数の特徴と、複数の第２の背景トレーニング点にそれぞれ対応する複数の特徴とをそれぞれ評価する。そして、分類器トレーニングユニット２６は、複数のトレーニング点にそれぞれ対応する複数の特徴とトレーニングアルゴリズムとに基づいて、第２の分類器用の特徴ベクトルを発生する。
【００６９】
本実施形態において、第２の分類器に用いられる特徴は、第１の分類器に用いられる特徴と異なる。したがって、第１の分類器および第２の分類器は、異なる特徴ベクトルを有する。しかしながら、他の実施形態において、第２の分類器で用いられる特徴が、第１の分類器で用いられる特徴と同様であってもよい。このとき、第１の分類器のトレーニングの対象となる第１の分類器領域が、第２の分類器のトレーニングの対象となる第２の分類器領域と異なるため、第１の分類器に対応する特徴ベクトルは、第２の分類器に対応する特徴ベクトルと異なる。
【００７０】
トレーニング点（前景トレーニング点及び背景トレーニング点）に対して評価された特徴は、短距離特徴（ランドマークに近傍の特徴）または長距離特徴（ランドマークから遠く離れた特徴）を有してもよい。第１の分類器ＣCのトレーニングにおいて、第１の分類器領域は医用画像の全体領域を含む。一方、第２の分類器ＣBのトレーニングにおいて、第２の分類器領域は第１の分類器領域よりも狭い。そのため、実施形態に応じて、第１の分類器ＣCは、より制約された領域を範囲に含む、第２の分類器ＣBよりも、より多くの長距離特徴を用いてもよい。第１の分類器ＣCは、特徴を評価するときに、大きな領域および大きなオフセットを使用してもよい。
【００７１】
実施形態によっては、使用される特徴は、分類器領域外に延びてもよい。例えば、第２の分類器ＣBのトレーニングに使用される特徴は、評価された特徴が、第１の背景領域λＵＣにあるように、ランドマークからある距離にある特徴としてもよい。ＳＵＲＦ特徴の固定セットが用いられる場合には、ウェーブレットスケール（wavelet scale）を、分類器のレベル（それが、画像全体を範囲に含むか、または画像のサブセットを範囲に含むか）に適当に設定してもよい。
【００７２】
図４のフローチャートに図示されたプロセスによって、トレーニングデータセットに基づいてトレーニングされた２つの入れ子型分類器（第１の分類器及び第２の分類器）が得られる。本実施形態において、第２の前景領域１０４は、第１の前景領域１０２の内側に入れ子にされており、第１の分類器の前景領域が、第２の分類器の分類器領域である。２つの入れ子型分類器ＣCおよびＣBを用いた場合と仮定の単一の分類器を用いた場合とを比較する。仮定の単一の分類器は（以下、単一分類器と呼ぶ。）、例えば、前景領域がλB、背景領域は、医用画像の全体領域における前景領域でない部分とする。このときの背景領域は、領域λUBと記載される。このとき、単一分類器における前景領域λBと背景領域λUBとの間の領域の寸法の差は、第１の分類器ＣC、または第２の分類器ＣBにおける寸法の差よりもずっと大きくなる。このような場合、例えば、前景トレーニング点と背景トレーニング点を、単位領域あたりに設定されるトレーニング点が、前景領域と背景領域とで同一になるように設定するとき、背景トレーニング点の数が、前景トレーニング点よりもずっと多くなる。または、背景トレーニング点と前景トレーニング点を、前景トレーニング点の数と背景トレーニング点の数が同一になるように設定するとき、前景領域の大きさに対する前景トレーニング点の数の密度に比べて、背景領域の大きさに対する背景トレーニング点の密度が疎となる。つまり、前景トレーニング点の数と背景トレーニング点の数が同一になるように設定するとき、少ない数の背景トレーニング点で大きな背景領域を表さなければならない場合がある。
【００７３】
単一分類器は、ランドマークを含むであろう領域を、１回のステップで医用画像の全体領域から非常に小さい領域に絞り込み可能にトレーニングされる必要がある。この非常に小さい領域は、ランドマークが含まれる領域である。しかしながら、このような高い精度でランドマークの位置を全体領域から決めるために必要なトレーニングは、トレーニング点の数を少なくする必要がある場合には、非常に困難である。
【００７４】
２つの入れ子型分類器を用いると、背景トレーニング点の数を前景トレーニング点に対して同程度にするという要件を、精度よくランドマークを位置特定するために前景領域を小さくするという要件とバランスさせることができる。言い換えると、前景トレーニング点の数と背景トレーニング点の数を同一にしておきながら、前景領域における単位領域あたりの前景トレーニング点の数を、背景領域における単位領域あたりの背景トレーニング点の数を同一、つまり単位領域あたりのトレーニング点の密度を同程度にすることができる。例えば、第１の前景領域１０２が、第２の分類器領域１０２としても使用されるように第１の分類器と第２の分類器とを入れ子にすることで、ランドマークの位置を特定するときに意味のある方法で、第１の分類器の出力と第２の分類器の出力とを結合することができる。
【００７５】
なお、図４を参照して説明した第１の分類器と第２の分類器とのトレーニング方法は一例である。本実施形態では、第１の分類器と第２の分類器とが入れ子型の分類器を構成する。すなわち、第２の前景領域１０４は、第１の前景領域１０２の内側に入れ子にされており、第１の分類器の前景領域が、第２の分類器の分類器領域である。これは、背景トレーニング点の数を前景トレーニング点に対して同程度にするという要件を、精度よくランドマークを位置特定するために前景領域を小さくするという要件とバランスさせることができるためである。言い換えると、トレーニングデータにおいて前景領域と背景領域とは、前景領域に対応する画像の面積と背景領域に対応する画像の面積とが同程度になるように設定されるのが好適である。
【００７６】
第１の分類器ＣCおよび第２の分類器ＣBをトレーニングするプロセスについて、図４を参照して説明した。
【００７７】
分類器を使用して医用画像データ内のランドマークの位置を特定するプロセスについて、次に説明する。
【００７８】
図６は、本実施形態に係り、ランドマーク位置特定プロセスの一例を説明するフローチャートである。  
図６のフローチャートは、第１の分類器ＣCと、第２の分類器ＣBとを使用してランドマークの位置を特定するプロセスを表わす。第１の分類器ＣCと、第２の分類器ＣBは上述の図４のプロセスにおいてトレーニングされたものとする。ランドマーク位置特定ユニット２８は、トレーニングされた入れ子型の第１の分類器ＣCおよび第２の分類器ＣBを使用して、ランドマークの位置が未知である（わかっていない）、医用画像データ内のランドマークの位置を特定する。
【００７９】
本実施形態において、分類器をトレーニングするために使用された装置（図３の装置）と同一の装置を使用して、ランドマークの位置の特定を実施する。しかしながら、分類器のトレーニングを行う装置は、トレーニングをされた分類器を使用してランドマークの位置を特定する装置と異なる装置であってもよい。例えば、放射線医またはその他のオペレータのワークステーションまたは中央サーバを使用してランドマークの位置の特定を実施する。このとき、トレーニングされた分類器は、異なるコンピュータまたは中央処理リソースによって、これらの装置に提供されるか、またはソフトウェアとして提供されてもよい。
【００８０】
（ステップ６０）医用画像のデータと入れ子型分類器のデータとを受信  
ステップ６０において、ランドマーク位置特定ユニット２８は、ランドマークの場所が未知である、医用画像のデータを受け取る。また、ランドマーク位置特定ユニット２８は、入れ子型を構成する第１の分類器ＣCおよび第２の分類器ＣBを受け取る。この第１の分類器ＣCは、図５（ｃ）に示すように、第１の前景領域１０２（領域λC）内の複数の第１の前景トレーニング点と、第１の背景領域（領域λＵＣ）内の複数の第１の背景トレーニング点によりトレーニングされているものとする。また、第２の分類器ＣBは、図５（ｂ）に示すように、第２の前景領域１０４（領域λB）内の複数の第２の前景トレーニング点と、第２の背景領域（領域λＣＢ）内に複数の第２の背景トレーニング点とによりトレーニングされているものとする。本実施形態において、ランドマークλは右側脳室の前角である。その他の実施形態において、ランドマークは、その他任意の解剖学的ランドマーク、対象点、または基準点である。
【００８１】
（ステップ６２）医用画像をダウンサンプリング  
ランドマーク位置特定ユニット２８は、医用画像のデータをダウンサンプリングする。その結果、例えば、医用画像の分解能は４ｍｍになる。その他の実施形態において、ランドマーク位置特定ユニット２８は、受信した医用画像のデータを他の異なるピクセル寸法にダウンサンプリングする。代替的実施形態において、ランドマーク位置特定ユニット２８は、受信した医用画像のデータに対してダウンサンプリングを行わず、医用画像のデータが生成されたスキャンから得られた状態の元のピクセルを使用する。
【００８２】
１ピクセルを座標ｉで表わしてもよい。分かりやすくするとともに、スケールとピクセル化問題（または、同様に、３次元の場合にはボクセル化問題）が強調されるのを抑えるために、以下の数式は、画像が連続的であるとして、定式化されている。方程式において、座標を表わすのにｉを用いた。方程式は、連続的な画像に対して、画像が関数Ｒ2→Ｒであり、ランドマークλが正確な点であると仮定して定式化した。この場合に、ｉは座標ｉ∈Ｒ2を表わす。
【００８３】
（ステップ６４）第１の分類器の出力を取得  
ランドマーク位置特定ユニット２８は、第１の分類器ＣCを用いることにより、第１の分類器ＣCの出力を取得する。具体的には、ランドマーク位置特定ユニット２８は、医用画像を構成する複数のピクセル各々に対応する複数の第１の値を取得する。本実施形態において、第１の分類器ＣCは決定森であり、第１の分別結果は、第１の分類器ＣCにより出力される。第１の値は、ランドマーク（右側脳室の前角）に対するクラス条件付き尤度である。これは、ランドマークの位置が医用画像Ｕ内にあるとした場合の、ピクセルが前景領域１０２（領域λC）内にある尤度である。
【００８４】
xiCは、第１の分類器ＣCによって導出される座標ｉに対応する特徴ベクトルを表わす。特徴ベクトルは、ｉの近傍における画像値に依存する。なお、ここでのｉの近傍とは、ｉからの距離が大きい場合もある。上付き文字Cは、本実施形態において、第１の分類器ＣCに対する特徴ベクトルが、第２の分類器ＣBに対する特徴ベクトルと異なることを示している。簡略のため、特徴ベクトルxiCの表記は、ランドマークλの参照を削除している。しかしながら、第１の分類器用の特徴ベクトルおよび第２の分類器用の特徴ベクトルは、対象のランドマーク（右側脳室の前角）に対してトレーニングされていることを前提とする。
【００８５】
第１の分類器ＣCは、尤度比または事後確率のいずれかを出力すると考えてもよい。尤度比と事後確率は、事前確率のモジュロ演算と等価である。以下の導出は、第１の分類器ＣCに対するものであるが、第２の分類器ＣBに対する導出は適当な置換によって得られる。
【数３】
2015036123.tif 000005
【００８６】
２つの事前確率Ｐ（ｉ∈λC｜ｉ∈Ｕ）およびＰ（ｉ∈λUC｜ｉ∈Ｕ）は、領域Ｃおよび医用画像Ｕの全体領域の面積または体積から容易に得られる。
【数４】
2015036123.tif 000006
【００８７】
そして、もちろんこれらの２つの事前確率の和は１となる。
【００８８】
最後に、ランドマークのまわりの領域Ｃ内にある点ｉの事後確率は簡単に次のようになる。
【数５】
2015036123.tif 000007
【００８９】
第１の分類器ＣCは、点（ピクセル）が医用画像Ｕの全体領域内に含まれていることが分かっている場合に、点が領域λC内にある確率についての情報を提供する。これは、点が第１の分類器で設定した第１のクラス（前景）または第２のクラス（背景）として取得するものと表してもよい。
【００９０】
（ステップ６６）第２の分類器の出力を取得  
ランドマーク位置特定ユニット２８は、第２の分類器ＣBを用いることにより、第２の分類器ＣBの出力を取得する。具体的には、ランドマーク位置特定ユニット２８は、医用画像を構成する複数のピクセル各々に対応する複数の第２の値を取得する。本実施形態において、第２の分類器ＣBは、第１の分類器ＣCとは異なる決定森である。第２の値は、ランドマーク（右側脳室の前角）に対するクラス条件付き尤度である。これは、ランドマークが医用画像Ｕ内にあるとした場合の、ピクセルが前景領域１０４（領域λB）内にある尤度である。これは、点が第２の分類器で設定した第１のクラス（前景）または第２のクラス（背景）として取得するものと表してもよい。
【００９１】
xiBは、第２の分類器ＣBによって導出された座標ｉに対応する特徴ベクトルを表わす。本実施形態において、特徴ベクトルxiBは、特徴ベクトルxiCと異なる。
【００９２】
第２の分類器ＣBの尤度比は、第１の分類器ＣCで導出した尤度比と同様に、
【数６】
2015036123.tif 000008
【００９３】
が
【数７】
2015036123.tif 000009
【００９４】
によって定義される。
【００９５】
事前確率は、既に述べたように領域の面積から得られる。
【数８】
2015036123.tif 000010
【００９６】
ランドマークのまわりの領域Ｂ内に含まれる点ｉの事後確率は簡単に次のようになる。
【数９】
2015036123.tif 000011
【００９７】
（ステップ６８）第１の分類器の出力と第２の分類器の出力とを結合  
結合器は、第１の分類器の出力と第２の分類器の出力とを結合する。具体的には、結合器（ランドマーク位置特定ユニット２８）は、医用画像内の各ピクセルに対して、第１の値と第２の値とを結合する。本実施形態において、結合器は、第１の値と第２の値を、各ピクセルにおけるクラス条件付き尤度の積をとることによって結合する。
【００９８】
第１の分類器と第２の分類器各々は、領域入れ子型の分類器の階層の１つに対する尤度比または事後確率を出力する。第１の分類器ＣCは、点がＵ内部にあることが既知であるとして、点が領域λC内にある確率についての情報を提供する。第２の分類器ＣBは、点が領域λC内にあることが既知であるとして、点が領域λB内にある確率についての情報を提供する。したがって、ランドマーク位置特定ユニット２８は、第１の分類器ＣCおよび第２の分類器ＣBを結合して、点がＵ内のどこかにあることだけを知って、点がλBにある確率を出力することができる。上記の表記において、
【数１０】
2015036123.tif 000012
【００９９】
を得ることが必要である。これは、
【数１１】
2015036123.tif 000013
【０１００】
と
【数１２】
2015036123.tif 000014
【０１０１】
と、を結合することによって得ることができる。
【数１３】
2015036123.tif 000015
【０１０２】
これは、上記で定義された、個々の入れ子型尤度比の積である。
【０１０３】
代替的に次のように書いてもよい。
【数１４】
2015036123.tif 000016
【０１０４】
尤度比と上記の確率の関係は、領域の入れ子型構造に依存し、この場合に、λCは、第１の分類器ＣCに対する第１の前景領域と、第２の分類器ＣBに対する第２の分類器領域の両方である。これにより、尤度の積によって分類器を結合することが可能になる。各ピクセルに対するステップ６８の出力は、結合分類、結合尤度、または積尤度（product likelihood）と説明してもよい。
【０１０５】
（ステップ７０）結合結果が最大となるピクセルの位置を特定  
ランドマーク位置特定ユニット２８は、結合結果が最大となるピクセルの位置を特定する。具体的には、ランドマーク位置特定ユニット２８は、医用画像内のどのピクセルが、最大の積尤度を有するかを特定する。これは、結合分類の最大値を、または積尤度の最大値を求めることと説明できる。
【０１０６】
（ステップ７２）最大の結合結果を閾値に対して比較  
ランドマーク位置特定ユニット２８は、最大の結合結果を閾値に対して比較する。具体的には、ランドマーク位置特定ユニット２８は、最大の積尤度を検出閾値と比較する。
【０１０７】
（ステップ７４）ランドマークの位置を特定  
最大の積尤度が検出閾値を超える場合には、ランドマーク位置特定ユニット２８は、医用画像内に、ランドマークが発見されたと判定する。このとき、ランドマーク位置特定ユニット２８は、例えば、ランドマークに対応する座標のデータをデータファイルに追加するか、またはランドマーク場所をディスプレイスクリーン１６上に表示することによって、ランドマークの場所を出力する。
【０１０８】
一方、最大の積尤度が検出閾値を超えない場合には、ランドマーク位置特定ユニット２８は、ランドマークは医用画像データ内に存在しないと判定する。そして、ランドマークに対応する座標のデータのデータファイルへの追加、及びランドマークの表示を行わない。
【０１０９】
本実施形態において、検出閾値は、ランドマーク位置特定ユニット２８内部に記憶される固定値である。一実施形態においては、検出閾値は、分類器トレーニングプロセス中に、ＲＯＣ（受信者動作特性（Receiver Operating Characteristic））分析を実行して、各分類器の、または入れ子型分類器の、正検出率（true positive rate）を誤検出率（false positive rate）に対してプロットすることによって、求められる。他の実施形態において、異なる方法で導出された閾値が用いられてもよい。また、ランドマーク位置特定ユニット２８は、検出閾値を用いずに、最大の積尤度をランドマークの位置として判定してもよい。
【０１１０】
代替的実施形態において、結合分別結果は、ピクセル解像度よりもさらに詳細な解像度におけるランドマークの位置の補間に使用される。
【０１１１】
図４および図６のプロセスは、２次元の医用画像およびピクセルに関して記述されている。しかしながら、分類器のトレーニングおよびランドマークの位置の特定のプロセスは、代替的な実施形態または動作モードにおいては、３次元の医用画像およびボクセルに対して実施してもよい。
【０１１２】
図４および図６を参照して説明したように、入れ子型の分類器を使用して結合分別結果を提供することによって、ランドマークの位置の特定における問題を分解することができる。入れ子型の分類器のうち、１つは全体的な分類器であり、もう１つは局所的な分類器である。言い換えると、第１の分類器は、医用画像の全体領域からランドマークを含む確率の高い大まかな領域を区別することができ、第２の分類器は、全体領域より狭い領域からランドマークを含む確率の高い領域を区別することができる。各分類器における情報は、条件付き確率の積をとることによって、確率的に調整された方法で結合される。
【０１１３】
入れ子型分類器を用いることによって、単一ステップでランドマークの検出と位置の特定を実施する必要はない。このことは、単一の分類器を用いた上で、ランドマークの位置の特定の精度を高くするためには、小さな前景領域を必要とする。しかし、その結果として、少数の背景トレーニング点で、適切に背景を表わすことが困難になる可能がある。その代わりに、入れ子型分類器を用いると、背景トレーニング点の数を、前景トレーニング点の数と同等程度にすることができる。ここでの同等程度とは、例えば、背景トレーニングの数は、前景トレーニング点の数の０．５倍から３倍の間程を指す。これは、分類器のより良好なトレーニングをもたらす。言い換えると、前景トレーニング点で前景領域を、背景トレーニングで背景領域を適切に表すことができる。入れ子型の分類器を用いると、いくつかの既知の技法の場合よりも、複数の分類器各々に対応する前景領域と背景領域を、より類似した寸法にさせることができる。言い換えると、本実施形態では、第１の分類器に対応する前景領域と背景領域との間の領域の大きさの関係を、第２の分類器に対応する前景領域と背景領域との間の領域の大きさの関係と同等程度にすることができる。つまり、これらの大きさの関係を相似関係にすることができる。第１の分類器によるランドマークを全体領域から粗く検出する処理と、第２の分類器によるランドマークを全体領域よりも狭い領域から精密に検出する処理とを、単一のフレームワーク内で行うことができる。したがって、入れ子型の分類器により、画像解像度の限界まで、ランドマークの位置の特定の正確さを増大させる可能性がある。
【０１１４】
図４および図６のプロセスは、任意の確率的２クラス分類器、例えば、多変量ガウシアン、ｋ近傍法、またはサポートベクトルマシン、あるいは上記の実施形態において記載した決定森で実現してもよい
上述の方法で前景領域と背景領域を入れ子にさせることによって、一回の積によって、尤度を容易に結合することができる。
【０１１５】
さらなる実施形態において、第１の分類器、第２の分類器及び第３の分類器が使用されてもよい。このとき、第３の分類器は、第１の分類器及び第２の分類器と入れ子の関係であってもよいし、そうでなくてもよい。第３の分類器は、医用画像データ内のランドマークを位置特定するためにトレーニングされる。第３の分類器をさらに用いることによって、各分類器ステップにおいて、前景と背景の合理的な寸法関係をなお維持しながら、より狭い領域内でランドマークの位置の特定が可能になる。前景領域および背景領域が、１つの分類器の前景領域が次の分類器の分類器領域となるように、入れ子にされ続ける場合には、用いられる分類器のすべての尤度を、単純な積によって、結合してもよい。
【０１１６】
一実施形態においては、第３の分類器ＣAが、図４および図６のプロセスに追加される。
【０１１７】
図４のステップ４２の後で、第３の分類器領域１０４は、トレーニングデータセットに含まれる複数の医用画像各々に対して定義される。複数の医用画像各々の第３の分類器領域１０４は、第２の分類器領域１０２の内側に入れ子にされる。本実施形態においては、第３の分類器領域１０４は、図５のプロット（ａ）に図示されているように、第２の前景領域１０４（領域λB）である。
【０１１８】
第３の前景領域１０６（領域λA）は、ランドマークを中心とする、１辺の長さがＬAでの正方形である。第３の前景領域１０６は、第３の分類器領域１０４の一部分として定義される。第３の背景領域は、第３の分類器領域１０４のうち領域λA内に含まれない部分として定義される。第３の背景領域を、
【数１５】
2015036123.tif 000017
【０１１９】
と定義する。以下、第３の背景領域を第３の背景領域λＢＡとも記載する。
【０１２０】
第３の前景トレーニング点は、第３の前景領域１０６から選択され、第３の背景トレーニング点は、第３の背景領域λＢＡから選択される。これらのトレーニング点は、第３の分類器をトレーニングするのに使用される。代替的実施形態においては、複数のトレーニング点の一部だけが、第３の分類器をトレーニングするのに使用される。
【０１２１】
次いで、第１の分類器ＣC、第２の分類器ＣBおよび第３の分類器ＣAが、医用画像のデータ内のランドマークλの位置を特定するために、図６のプロセスの拡張版において使用される。第１の分類器ＣC、第２の分類器ＣBおよび第３の分類器ＣAは入れ子型の分類器である。
【０１２２】
ステップ６６の後に、ランドマーク位置特定ユニット２８は、各ピクセルに対して、第３の分類器ＣAの出力を計算する。ステップ６８において、ランドマーク位置特定ユニット２８は、第１、第２、および第３の分別結果を結合する。結合した結果を結合分別結果と呼ぶ。本実施形態においては、ランドマーク位置特定ユニット２８は、第１、第２、および第３の分類器からの尤度の積をとり、ランドマークが画像Ｕ内にあるとして、ランドマークが第３の前景領域１０６（領域λA）の中にある尤度を得る。
【数１６】
2015036123.tif 000018
【０１２３】
または、それと等価に、
【数１７】
2015036123.tif 000019
【０１２４】
ステップ７０において、ランドマーク位置特定ユニット２８は、（３つの分類器各々に対応する尤度の積）結合分別結果の中で、最大の値を有するピクセルを特定する。ステップ７２において、ランドマーク位置特定ユニット２８は、最大の尤度を閾値と比較する。最大の尤度が閾値を超える場合において、ランドマーク位置特定ユニット２８は、ランドマーク場所を、最大尤度を有するピクセルの場所として特定する。ランドマーク位置特定ユニット２８は、特定したランドマークの位置のデータをデータファイル内に記憶させるか、または表示させる。
【０１２５】
３つの入れ子にされた分類器は、２つの入れ子にされた分類器よりも、より精密なランドマークの場所を提供することができる。１つの分類器の前景領域が、次の分類器の分類器領域となるように、分類器を入れ子にすることによって、積をとることによって尤度を結合させることが可能になる。
【０１２６】
上述のように、入れ子にされた分類器は、医用画像のデータ内で単一の解剖学的ランドマーク（例えば、右側脳室の前角）の位置が特定できるようにトレーニングされ得る。しかしながら、多くの用途、例えば、重ね合わせに対しては、いくつかの解剖学的ランドマーク、または人体内でのすべてのランドマークをも検出することが可能である。
【０１２７】
一実施形態において、入れ子型の分類器各々が、複数のランドマークを位置特定するように、トレーニングされる。それぞれの結合分別結果が、画像のピクセルまたはボクセルのそれぞれにおいて評価される。
【０１２８】
決定森を用いた手法において、分類器は、ランドマーク当たりの木の数が多く必要とされる場合がある。例えば、１００個の解剖学的ランドマーク、３つの入れ子型分類器、および１つの分類器で１５の繰返し決定木がある場合には、木の数＝ランドマークの数×分類器レベルの数×森繰返し数をとると、木の数は、１００×３×１５＝４５００となる。しかしながら、複数の決定木各々は小さい。
【０１２９】
複数のランドマークを特定する場合において、複数のランドマークにそれぞれ対応する複数の２クラス入れ子型分類器を使用した方が、１つの多重クラス分類器を使用するよりも、その応用が容易である。例えば、複数の２クラス入れ子型分類器は、例えば、特定するランドマークの種類に応じて、使用する２クラス入れ子型分類器のスイッチを容易に入れたり、切ったりすることのできる、フレキシブルなアーキテクチャを提供することができる。複数の２クラス入れ子型の分類器各々は、対応するランドマークに対して専用にトレーニングされる。そして、入れ子型分類器の分別結果として、ランドマークの位置を粗く特定した分別結果と、ランドマークの位置を精細に特定した分別結果の両方を提供する。前景トレーニング点および背景トレーニング点は、背景の不均一性が適切に反映されるように、複数の入れ子型の分類器各々に対して設定されてもよい。ランドマーク毎に入れ子型分類器を使用することによって、各ランドマークに対して異なる特徴ベクトルを使用することが可能である。また、所与の入れ子型分類器の組の中で、各分類器に対して異なる特徴ベクトルを使用することが可能である。入れ子型分類器各々は、特定するランドマークの種類に応じて構成されてもよい。
【０１３０】
上述の実施形態は、２次元画像データを含む、医用画像のデータを例に説明した。その他の一実施形態において、医用画像のデータは、３次元の医用画像のデータを含む。そのような一実施形態において、３つの入れ子型分類器がトレーニングされ、この場合に、３つの分類器各々の分類器領域、背景領域および前景領域は、図５を用いた２次元画像における各領域を３次元したとしてみなすことができる。
【０１３１】
第１の分類器領域１００は、全体画像Ｕである。第１の前景領域１０２、または等価には第２の分類器領域１０２（領域λC）は、１辺がＬCの立方体Ｃに含まれる。第２の前景領域１０４、または等価には第３の分類器領域１０４（領域λB）は、１辺がＬBの立方体Ｂに含まれる。第３の前景領域１０６（領域λA）は、１辺がＬAの立方体Ａに含まれる。
【０１３２】
代替的実施形態において、領域は、立方体ではなく、代わりに直方体（cuboid）、球、またはその他任意好適な３次元形状である。
【０１３３】
各背景領域は、それぞれの前景領域よりも、大きな体積を有してもよい。例えば、立方体の辺が３つのレベル各々において３倍になる、図５に示すように、背景体積と前景体積の体積比は、２７：１である。なお、３つのレベルは、それぞれ３つの分類器に対応する。
【０１３４】
３次元に拡張した場合の実施形態において、３つの分類器各々のトレーニングにおいて、医用画像のデータはダウンサンプリングされる。その結果として、医用画像の分解能は、３ｍｍとなる。すなわち、１ボクセルは、（３ｍｍ）3の体積を有する。立方体Ａは、３×３×３ボクセルの立方体として定義される。立方体Ａの体積は（９ｍｍ）3である。立方体Ｂは、９×９×９ボクセル、（２７ｍｍ）3の立方体として定義されている。立方体Ｃは、２７×２７×２７ボクセル、（８１ｍｍ）3の立方体である。
【０１３５】
ステップ３４において、分類器トレーニングユニット２６は、前景トレーニング点の数を５０に設定する。これは、前景領域を構成するボクセルの数の閾値でもある。前景領域が５０以下のボクセルを有する場合には、その前景領域内のボクセルのすべてが、前景トレーニング点として選択される。前景領域が５０を超えるボクセルを有する場合には、Ｈａｌｔｏｎサンプリングが使用される。
【０１３６】
分類器トレーニングユニット２６は、背景トレーニング点の数を、前景トレーニング点の数の２倍に設定する。したがって、この場合には背景トレーニング点の数は、１００に設定される。背景領域が１００以下のボクセルを有する場合には、その背景領域内のボクセルのすべてが、背景トレーニング点として選択される。背景領域が１００を超えるボクセルを有する場合には、Ｈａｌｔｏｎサンプリングが使用される。
【０１３７】
トレーニング点は、トレーニングデータセットに含まれる複数の医用画像各々に対して設定される。したがって、トレーニングデータセットに２０の医用画像のデータが含まれる場合には、３つのレベル各々において、合計で２０×（５０＋１００）＝３０００のトレーニング点が設定される。このうち、１０００が前景トレーニング点であり、２０００が背景トレーニング点である。
【０１３８】
しかしながら、３つの分類器各々の前景領域は、ランドマークを中心とする適当な立方体内に含まれる画像の部分に設定される。ランドマークの位置が、画像の縁部付近にある場合には、立方体は、画像縁部と重なることがある。したがって、立方体内に含まれるボクセルの数は、本来立方体に含まれるボクセルの数よりも小さいことがある。これは、ランドマークを中心とした立方体の領域が、医用画像のデータの区画領域およびパディング領域と交差するためである。パディング領域は、実質的にデータが存在しない領域である。ここで画像全体の体積を含む領域Ｕは、パディングのない医用画像のデータの区画領域である。
【０１３９】
各分類器に対して、背景トレーニング点の数は、前景トレーニング点の数と類似の範囲に設定してもよい。これにより、分類器の性能を向上させることができる。
【０１４０】
上記実施形態において、図６のプロセスに従って、（場合によってはダウンサンプリングされた）医用画像を構成する複数のピクセルにそれぞれ対応する結合分別結果が取得される。その他の実施形態において、ランドマーク位置特定ユニット２８は、１つまたは複数の入れ子型分類器を、医用画像内の全ピクセルに適用し、次いで、残りの分類器（単数または複数）を適用する、医用画像の領域を選択する。
【０１４１】
いくつかの実施形態において、分別結果が評価されるピクセルのスケールが、第１の値の計算と第２の値の計算との間で変更される。
【０１４２】
一実施形態において、ステップ６０で、ランドマーク位置特定ユニット２８は、初期ピクセル寸法が１ｍｍの医用画像のデータを受け取る。また、ランドマーク位置特定ユニット２８は、上記のように、第１の分類器ＣCおよび第２の分類器ＣBを受け取る。第１の分類器ＣCおよび第２の分類器ＣBは、それぞれ図５（ｃ）及び図５（ｂ）のように、各領域が定義される。ステップ６２において、ランドマーク位置特定ユニット２８は、受け取った医用画像のデータを、４ｍｍのピクセル寸法までダウンサンプリングする。ステップ６４において、ランドマーク位置特定ユニット２８は、複数のボクセルにそれぞれ対応する、第１の分別結果ＣC（ｉ）を出力する。複数のボクセル各々は、ダウンサンプリングされた、分解能が４ｍｍのボクセルである。
【０１４３】
次いで、ランドマーク位置特定ユニット２８は、ダウンサンプリングされた複数のピクセルにそれぞれ対応する複数の第１の値を使用して、ランドマークλの最も確からしい仮位置を特定する。このとき、仮領域Ｃ’が医用画像に適用される。本実施形態において、仮領域Ｃ’の中心位置は、第１の分別結果ＣC（ｉ）において、最大値を有するピクセルｉにある。ここでの最大値を有するピクセルｉは、例えば、最大尤度を有するピクセルｉである。なお、仮領域の設定方法は、上述に限定されない。他の実施形態において、仮領域の位置は、複数のピクセルの一部のピクセルに対応する第１の分別結果ＣC（ｉ）を平均化することによって、ランドマークλの最も確からしい位置が含まれる範囲として識別されるすべての点を含むように仮領域Ｃ’が定義されてもよいし、またはその他任意好適な方法によって特定される。言い換えると、仮領域Ｃ’は、所定の閾値を超える第１の分別結果ＣC（ｉ）を有するピクセルの全てが含まれるように定義されてもよい。
【０１４４】
本実施形態においては、ステップ６６において、第２の値は、仮領域内のピクセルに対してのみ評価される。ステップ６８において、ランドマーク位置特定ユニット２８は、仮領域内の複数のピクセルにそれぞれ対応する複数の結合分別結果を出力する。結合分別結果は、複数の第１の値と、複数の第１の値に対応する複数の第２の値の積をとることによって評価される。ステップ７０において、ランドマーク位置特定ユニット２８は、仮領域内の複数のピクセルのどれが、結合分別結果における最大値を有するかを特定する。ここでの結合分別結果は、例えば、尤度である。ランドマーク位置特定ユニット２８は、仮領域内の複数のピクセルのうち、最大尤度を有するピクセルを特定する。ステップ７２において、検出閾値が適用されて、結合分別結果の最大値が閾値を超える場合には、ランドマーク位置特定ユニット２８は、ステップ７４において、結合分別結果の最大値を有するピクセルを、ランドマークの場所として特定する。３つの入れ子型の分類器を構成する第１の分類器ＣC、第２の分類器ＣB、および第３の分類器ＣAを備える一実施形態において、この量（結合分別結果）を最大化するために、１ｍｍのインクリメントでＵ内のｉを包括的に探索するための主要な指標として、尤度比または事後確率
【数１８】
2015036123.tif 000020
【０１４５】
に対して導出された式を適用することができる。しかしながら、これはコストがかかることになる。同じ指標を別個に、例えば１０ｍｍ毎に評価してもよいが、これは、
【数１９】
2015036123.tif 000021
【０１４６】
項のために、高い度数の要素を有することになり、正しいピークを見失う結果となる可能性がある。このように、粗い探索に対しては、
【数２０】
2015036123.tif 000022
【０１４７】
第２の分類器ＣB及び第１の分類器ＣC各々の分別結果の積を評価する方が好適であり得る。これはまた、より効率的でもあり得る。
【０１４８】
サンプリングスケールおよび、各分類器を評価する領域は、特定の問題に応じて選択されてもよいし、利用可能な計算リソースに応じて選択されてもよい。このときの特定の問題とは、例えば、特定対象のランドマークの種類、特定対象のランドマークの数等である。
【０１４９】
次いで、解剖学的ランドマークの検出および位置特定に対する、異なる分類器領域寸法の影響に関して、追加の情報を提示する。分類器がランドマークを位置特定することのできる精度を、背景を表わす分類器の能力とバランスさせるために、各分類器をトレーニングするときの、前景の適当な寸法を選択することが必要である。
【０１５０】
図７は、分類器領域の寸法が、ランドマークの位置の特定に与える影響を説明するための補足説明図である。図７では、分類器領域（または背景領域）の寸法がランドマークの位置の特定に与える影響を図解されている。この場合には前景領域の寸法は一定に保たれている。図７では、複数の医用画像各々に対して、右側脳室の前角に対応するランドマークの位置を特定するのに、単一分類器が使用されたものとする。２つのスキャン図８０および８１に対して使用された分類器は、医用画像の全体を分類器領域としてトレーニングされている。２つのスキャン図８２および８３に対して使用された分類器は、寸法５０ｍｍの分類器領域に対してトレーニングされている。２つのスキャン図８４および８５に対して使用された分類器は、寸法２５ｍｍの分類器領域に対してトレーニングがされている。２つのスキャン図８６および８７に対して、使用された分類器は、寸法１０ｍｍの分類器領域に対してトレーニングがされている。
【０１５１】
例えば、スキャン図８０及び図８１に示すように、分類器領域（前景領域に対する背景領域）が大きいときには、前景ピークは強いが、幅が広い。また、背景ノイズは非常に少ない。また、例えば、スキャン図８６および８７に示すように、分類器領域が小さいときには、前景ピークは鋭いが、背景ノイズは増加する。
【０１５２】
図８は、２つの入れ子型分類器各々の出力結果の一例を示す。この例において、第１の分類器の分類器領域は５０ｍｍであるのに対して、前景領域は１０ｍｍである。第２の分類器の分類器領域が（第１の分類器の前景領域と等価な）１０ｍｍであるのに対して、前景領域は３ｍｍである。図８Ａは、入れ子型の２つの分類器のうち、第１の分類器の出力結果の一例を示す図である。図８Ａは、ランドマークが未知の医用画像を構成する複数のピクセルにそれぞれ対応する複数の第１の値を、当該未知の医用画像にマッピングした結果の一例を表している。図８Ｂは、入れ子型の２つの分類器のうち、第２の分類器の出力結果の一例を示す図である。図８Ｂは、当該未知の医用画像を構成する複数のピクセルにそれぞれ対応する複数の第２の値を、当該未知の医用画像にマッピングした結果の一例を表している。
【０１５３】
図８Ａに対応する第１の分類器の出力は、図８Ｂに対応する第２の分類器の出力と比較して、幅の広いピークと、低い背景ノイズを生じる。一方、図８Ｂに対応する第２の分類器の出力は、図８Ａに対応する第１の分類器の出力と比較して、前景ピークは鋭いが、背景のノイズはより大きい。これらの入れ子型領域を結合すると、より鋭いピークと、低い背景ノイズとを結合できることが分かる。実際の解像度または位置特定の精度の正確さを向上させる方法として、粗い検出と精密な位置特定を、単一のフレームワーク内で結合してもよい。
【０１５４】
分類器に対するトレーニングプロセスは、擬似コードで記述してもよい。以下の擬似コード、アルゴリズム１は、各ランドマークに対して、３つの入れ子型決定森分類器Ａ、ＢおよびＣのトレーニングについて記述している。
【表１】
2015036123.tif 000023
【０１５５】
【表２】
2015036123.tif 000024
【０１５６】
【表３】
2015036123.tif 000025
【０１５７】
任意適当な画像データ、例えばＣＴ画像、ＭＲ画像、超音波画像、ＰＥＴ画像及びＳＰＥＣＴ画像等を用いて、分類器をトレーニングしてもよい。そして、トレーニングされた分類器を使用して、これらの画像各々からランドマーク（単数または複数）を検出してもよい。
【０１５８】
分類器のトレーニングおよびその後の使用について、例えばピクセルまたはボクセルで表わされる、画像内の特定の点に関して記述したが、代替的実施形態においては、分類器は、任意好適な画像データ項目、例えば、それぞれが単一ピクセルまたはボクセルよりも大きい領域を表わす、より大きな画像データのブロックに対してトレーニングするか、またはそれに対して適用できることが理解されるであろう。
【０１５９】
当業者であれば、実施形態は、本実施形態の方法を実施するために実行可能なコンピュータ可読命令を有するコンピュータプログラム（単数または複数）によって何らかの機能を実現してもよいことを理解するであろう。このコンピュータプログラム機能は、ハードウェアに（例えば、ＣＰＵを用いて）実装することもできる。本実施形態はまた、１つまたは複数のＡＳＩＣ（特定用途集積回路）によって、またはハードウェアとソフトウェアの混成物によって実現してもよい。
【０１６０】
本明細書では特定のユニットについて説明したが、代替的実施形態においては、１つまたは複数のこれらのユニットの機能を、単一のユニット、処理リソースまたはその他の構成要素によって提供するか、あるいは単一ユニットによって提供される機能を、組み合わせた２つ以上のユニットまたはその他の構成要素によって提供することができる。単一ユニットへの言及は、そのユニットの機能を提供する多数の構成要素を、そのような構成要素が互いに遠隔にあろうとなかろうと、包含するものであり、また多数ユニットへの言及は、それらのユニットの機能を提供する、単一構成要素を包含する。
【０１６１】
いくつかの実施形態について説明したが、これらの実施形態は、例としてのみ提示したものであり、本発明の範囲を限定することを意図するものではない。実際に、本明細書に記載した新規の方法およびシステムは、様々な他の形態で具現化してもよく、さらに、本明細書に記載した方法およびシステムの形態における、様々な省略、置換、および変更を、本発明の趣旨から逸脱することなく行うことができる。添付の特許請求の範囲およびその均等物は、本発明の範囲に含まれるそのような形態および修正を、その範囲に含めることを意図している。
【符号の説明】
【０１６２】
１０…医用画像処理装置、１２…処理装置、１４…ＣＴスキャナ、１６…ディスプレイスクリーン、１８…入力デバイス、２０…メモリユニット、２２…中央処理ユニット（ＣＰＵ）、２６…分類器トレーニングユニット、２８…ランドマーク位置特定ユニット。
【図１】
2015036123.tif 000026
【図２Ａ】
2015036123.tif 000027
【図２Ｂ】
2015036123.tif 000028
【図３】
2015036123.tif 000029
【図４】
2015036123.tif 000030
【図５】
2015036123.tif 000031
【図６】
2015036123.tif 000032
【図７】
2015036123.tif 000033
【図８Ａ】
2015036123.tif 000034
【図８Ｂ】
2015036123.tif 000035